(57)【要約】【課題】実用上充分な明るさを有する光源とカラーホイールとを用いながら、カラーブレーキング現象の発生を抑止する。【解決手段】スポット光を発する半導体レーザ17と、回転円盤に周状に複数色のカラーフィルタを分割配置した蛍光体カラーホイール19と、スポット光を所定の角度範囲内で反射してカラーホイール19のカラーフィルタを順次走査し、該カラーホイール19から複数色の蛍光を時分割で出射させる走査体としてのポリゴンミラー18と、カラーホイール19の回転位相とポリゴンミラー18の走査位相とを同期させる同期制御部としての投影光処理部24とを備える。【選択図】図１
2010224493.tif 000002
【特許請求の範囲】
【請求項１】
スポット光を発する光源と、
回転円盤に周状に複数色のカラーフィルタを分割配置したカラーホイールと、
上記光源からのスポット光を所定の角度範囲内で反射して上記カラーホイールのカラーフィルタを順次走査し、該カラーホイールから複数色の光を時分割で出射させる走査体と、
上記カラーホイールの回転位相と上記走査体の走査位相とを同期させる同期制御部と
を具備したことを特徴とする光源装置。
【請求項２】
上記同期制御部は、上記走査体の走査方向と上記カラーホイールの反射光照射位置におけるカラーフィルタの移動方向とが一致するように上記カラーホイールを回転させることを特徴とする請求項１記載の光源装置。
【請求項３】
上記光源は、半導体レーザ、ファイバーレーザのいずれかであることを特徴とする請求項１記載の光源装置。
【請求項４】
上記走査体は、周壁面に沿って複数の平面ミラーを配列したポリゴンミラーで構成することを特徴とする請求項１記載の光源装置。
【請求項５】
上記カラーホイールのカラーフィルタの数と上記走査体を構成するポリゴンミラーの平面ミラーの数とが一致し、
上記同期制御部は、上記走査体を構成するポリゴンミラーの回転速度と上記カラーホイールとを同一回転速度で同期して回転させることを特徴とする請求項３記載の光源装置。
【請求項６】
スポット光を発する光源、回転円盤に周状に複数色のカラーフィルタを分割配置したカラーホイール、上記光源からのスポット光を所定の角度範囲内で反射して上記カラーホイールのカラーフィルタを順次走査し、該カラーホイールから複数色の光を時分割で出射させる走査体、及び上記カラーホイールの回転位相と上記走査体の走査位相とを同期させる同期制御部を有した光源部と、
上記光源のカラーホイールから時分割で出射される複数色の光毎に光像を形成して投影する投影部と
を具備したことを特徴とする投影装置。
【発明の詳細な説明】
【技術分野】
【０００１】
本発明は、ＤＬＰ（Ｄｉｇｉｔａｌ  Ｌｉｇｈｔ  Ｐｒｏｃｅｓｓｉｎｇ）（登録商標）方式のプロジェクタ装置に好適な光源装置及び投影装置に関する。
【背景技術】
【０００２】
ＤＬＰ方式のプロジェクタでは、例えばランプと、入射光を時分割でＲ，Ｇ，Ｂの光に分離するカラーホイールと、カラーホイールからの出射光を面状の光にして出射するロッド型のインテグレータと、タブレットレンズと、ミラーと、リレーレンズと、画像生成素子と、プロジェクションレンズとを有する光学エンジンを備え、カラーホイールの透過率を上げると共に、インテグレータにより均一な面状の光を得るために、ランプからの出射光を平行光にするコリメータレンズと、カラーホイールの出射面側に貼着されたマイクロレンズアレイとを設けた構成としたものが考えられている。（特許文献１）
【先行技術文献】
【特許文献】
【０００３】
【特許文献１】特開２００８−１３４４３３号公報
【発明の概要】
【発明が解決しようとする課題】
【０００４】
上記特許文献に記載された技術を含めて単板式のＤＬＰプロジェクタでは、カラーホイールの回転に伴い、光軸上でカラーフィルタが切り替わるタイミングでカラーブレーキング現象と称される色割れ現象の発生が不可避となる。
【０００５】
このカラーブレーキング現象を抑えるためには、光源の色の切替速度を上げる必要があるが、カラーホイールを利用する方式では限界がある。例えば、カラーホイールの回転速度を９０００ｒｐｍとし、カラーホイールの１回転当たりの同色のカラーセグメント数を２とすると、１倍速での色の繰返し周波数を６０Ｈｚとした場合に、  
((9000[rpm]／60[sec])×2)／60[Hz]＝5  
となり、５倍速が上限となる。
【０００６】
ところで、光源にＬＥＤ（発光ダイオード）を用いるプロジェクタでは、Ｒ，Ｇ，Ｂの各色で発光するＬＥＤを時分割で駆動することによりカラーホイールが不要となり、色の繰返し速度はＬＥＤのスイッチング速度により制限される。
【０００７】
画像生成素子の製造メーカからは、ＬＥＤを光源に用いる場合の色の繰返し速度として４８倍速（１倍速の色の繰返し周波数が６０Ｈｚの時に２８８０Ｈｚ）が可能であることが報告されており、この繰返し速度であればカラーブレーキング現象をほぼ完全に抑制可能であることが確認されている。
【０００８】
しかしながら、ＬＥＤを光源とする場合、その発光輝度の点で、現状ではプロジェクタとして実用的な明るさを得ることができない。
【０００９】
本発明は上記のような実情に鑑みてなされたもので、その目的とするところは、実用上充分な明るさを有する光源とカラーホイールとを用いながら、カラーブレーキング現象の発生を抑止することが可能な光源装置及び投影装置を提供することにある。
【課題を解決するための手段】
【００１０】
請求項１記載の発明は、スポット光を発する光源と、回転円盤に周状に複数色のカラーフィルタを分割配置したカラーホイールと、上記光源からのスポット光を所定の角度範囲内で反射して上記カラーホイールのカラーフィルタを順次走査し、該カラーホイールから複数色の光を時分割で出射させる走査体と、上記カラーホイールの回転位相と上記走査体の走査位相とを同期させる同期制御部とを具備したことを特徴とする。
【００１１】
請求項２記載の発明は、上記請求項１記載の発明において、上記同期制御部は、上記走査体の走査方向と上記カラーホイールの反射光照射位置におけるカラーフィルタの移動方向とが一致するように上記カラーホイールを回転させることを特徴とする。
【００１２】
請求項３記載の発明は、上記請求項１記載の発明において、上記光源は、半導体レーザ、ファイバーレーザのいずれかであることを特徴とする。
【００１３】
請求項４記載の発明は、上記請求項１記載の発明において、上記走査体は、周壁面に沿って複数の平面ミラーを配列したポリゴンミラーで構成することを特徴とする。
【００１４】
請求項５記載の発明は、上記請求項３記載の発明において、上記カラーホイールのカラーフィルタの数と上記走査体を構成するポリゴンミラーの平面ミラーの数とが一致し、上記同期制御部は、上記走査体を構成するポリゴンミラーの回転速度と上記カラーホイールとを同一回転速度で同期して回転させることを特徴とする。
【００１５】
請求項６記載の発明は、スポット光を発する光源、回転円盤に周状に複数色のカラーフィルタを分割配置したカラーホイール、上記光源からのスポット光を所定の角度範囲内で反射して上記カラーホイールのカラーフィルタを順次走査し、該カラーホイールから複数色の光を時分割で出射させる走査体、及び上記カラーホイールの回転位相と上記走査体の走査位相とを同期させる同期制御部を有した光源部と、上記光源のカラーホイールから時分割で出射される複数色の光毎に光像を形成して投影する投影部とを具備したことを特徴とする。
【発明の効果】
【００１６】
本発明は、実用上充分な明るさを有する光源とカラーホイールとを用いながら、カラーブレーキング現象の発生を抑止することが可能となる。
【図面の簡単な説明】
【００１７】
【図１】本発明の一実施形態に係るデータプロジェクタ装置の電子回路の構成を示すブロック図。
【図２】同実施形態に係る主として光源光、ポリゴンミラー、及び蛍光カラーホイールの位置関係を示す図。
【図３】同実施形態に係る蛍光カラーホイールの構成を示す図。
【図４】同実施形態に係るポリゴンミラーによる蛍光カラーホイール中の一蛍光フィルタに対する走査を平面上で説明する図。
【発明を実施するための形態】
【００１８】
以下、本発明の一実施形態であるＤＬＰ方式のデータプロジェクタ装置について図面を参照して説明する。
【００１９】
図１は、同実施形態に係るデータプロジェクタ装置１０が備える電子回路の概略機能構成を示すブロック図である。  
１１は入出力コネクタ部であり、例えばピンジャック（ＲＣＡ）タイプのビデオ入力端子、Ｄ−ｓｕｂ１５タイプのＲＧＢ入力端子、及びＵＳＢ（Ｕｎｉｖｅｒｓａｌ  Ｓｅｒｉａｌ  Ｂｕｓ）コネクタを含む。
【００２０】
入出力コネクタ部１１より入力される各種規格の画像信号は、入出力インタフェース１２（Ｉ／Ｆ）１２、システムバスＳＢを介し、一般にスケーラとも称される画像変換部１３に入力される。
【００２１】
画像変換部１３は、入力された画像信号を投影に適した所定のフォーマットの画像信号に統一し、適宜投影用のバッファメモリであるビデオＲＡＭ１４に記憶した後に、投影画像処理部１５へ送る。
【００２２】
この際、ＯＳＤ（Ｏｎ  Ｓｃｒｅｅｎ  Ｄｉｓｐｌａｙ）用の各種動作状態を示すシンボル等のデータも必要に応じてビデオＲＡＭ１４で画像信号に重畳加工され、加工後の画像信号が投影画像処理部１５へ送られる。
【００２３】
投影画像処理部１５は、送られてきた画像信号に応じて、例えば６０［フレーム／秒］のフレームレート、色成分数、及び表示階調数を乗算した、より高速な時分割駆動により、空間的光変調素子（ＳＬＭ）であるマイクロミラー素子１６を表示駆動する。
【００２４】
このマイクロミラー素子１６は、アレイ状に配列された複数、例えばＸＧＡ（横１０２４×縦７６８ドット）分の微小ミラーの各傾斜角度を個々に高速でオン／オフ動作することでその反射光により光像を形成する。
【００２５】
他方で、半導体レーザ１７の発振により紫外領域、例えば波長３４０［ｎｍ］のレーザ光が発生され、回転多面鏡であるポリゴンミラー１８の周壁面で反射する。このポリゴンミラー１８での反射光は、回転体である蛍光体カラーホイール１９の周上の一点に照射される。
【００２６】
蛍光体カラーホイール１９は、例えば紫外光の照射によりＲ（赤色），Ｇ（緑色），Ｂ（青色）の蛍光を発する３色の蛍光体を底面周端側に周状に規則的に分割配置して構成される。上記ポリゴンミラー１８で反射されたレーザ光の照射により、蛍光体カラーホイール１９からＲ，Ｇ，Ｂの蛍光が時分割で出射する。
【００２７】
蛍光体カラーホイール１９から出射した光は、インテグレータ２０内部で乱反射により輝度分布が略均一な光束とされる。インテグレータ２０の出射光はさらに、光源レンズ系２１で平行光とされた後、ミラー２２で全反射して上記マイクロミラー素子１６に照射される。
【００２８】
そして、マイクロミラー素子１６での反射光で光像が形成され、形成された光像が投影レンズユニット２３を介して、投影対象となる図示しないスクリーンに投影表示される。
【００２９】
上記半導体レーザ１７は、投影光処理部２４の励振により紫外域のレーザ光を発振する。この投影光処理部２４はさらに、モータ（Ｍ）２５、マーカセンサ２６、モータ（Ｍ）２７、マーカセンサ２８と接続される。
【００３０】
モータ２５は、上記ポリゴンミラー１８を回転するもので、その位相は投影光処理部２４により制御される。マーカセンサ２６は、ポリゴンミラー１８の回転周端に対向して配置され、該ポリゴンミラー１８側の周端の一点に配置された図示しないマーカと対向したタイミングで検出信号としてのパルスを出力する。投影光処理部２４は、マーカセンサ２６からのパルスによりポリゴンミラー１８の回転位相と周期とを検出する。
【００３１】
モータ２７は、上記蛍光体カラーホイール１９を回転するもので、その位相は投影光処理部２４により制御される。マーカセンサ２８は、蛍光体カラーホイール１９の回転周端に対向して配置され、該蛍光体カラーホイール１９側の周端の一点に配置された図示しないマーカと対向したタイミングで検出信号としてのパルスを出力する。投影光処理部２４は、マーカセンサ２８からのパルスにより蛍光体カラーホイール１９の回転位相と周期とを検出する。
【００３２】
投影光処理部２４は、投影画像処理部１５から与えられる画像データに応じてポリゴンミラー１８と蛍光体カラーホイール１９の回転位相を制御する。
【００３３】
上記各回路の動作すべてをＣＰＵ２９が制御する。このＣＰＵ２９は、メインメモリ３０、及びプログラムメモリ３１と接続される。メインメモリ３０は、ＤＲＡＭで構成される。プログラムメモリ３１は、電気的書換可能な不揮発性メモリで構成され、動作プログラムや各種定型データ等を記憶する。ＣＰＵ２９は、メインメモリ３０及びプログラムメモリ３１を用いてこのデータプロジェクタ装置１０内の制御動作を実行する。
【００３４】
さらに上記ＣＰＵ２９は、操作部３２からのキー操作信号に応じて各種投影動作を実行する。  
この操作部３２は、データプロジェクタ装置１０の本体に設けられるキー操作部と、このデータプロジェクタ装置１０専用の図示しないリモートコントローラの間で赤外光を受光するレーザ受光部とからなる。操作部３２は、操作されたキーに基づくキー操作信号をＣＰＵ２９へ直接出力する。
【００３５】
上記ＣＰＵ２９はさらに、上記システムバスＳＢを介して音声処理部３３とも接続される。音声処理部３３は、ＰＣＭ音源等の音源回路を備え、投影動作時に与えられる音声データをアナログ化し、スピーカ部３４より出力させる。
【００３６】
次に上記実施形態の動作について説明する。  
図２乃至図４は、主として上記ポリゴンミラー１８及び蛍光体カラーホイール１９の構成を詳細に示す。  
図２は、上記半導体レーザ１７で発振したレーザ光のスポットビームＢを反射するポリゴンミラー１８と、その反射光の照射により時分割でＲ，Ｇ，Ｂの蛍光を出射する蛍光体カラーホイール１９の構成と位置関係、及び各回転方向を示す。
【００３７】
半導体レーザ１７からのレーザ光に対し、ポリゴンミラー１８の周壁面に構成した各平面ミラーへの入射角が４５°となるようにポリゴンミラー１８が配設される。したがって、該レーザ光は出射角も４５°となり、結果としてポリゴンミラー１８によって９０°屈曲されて蛍光体カラーホイール１９の底面周端部に照射される。
【００３８】
ここではポリゴンミラー１８を、例えば周面を７２枚の平面ミラーで構成する７２角ポリゴンミラーで構成する。これに対応して蛍光体カラーホイール１９は、底面周端部に同じく７２枚（＝各２４枚×ＲＧＢ３色）の蛍光カラーフィルタを周状に規則的に分割配置する。
【００３９】
そして、ポリゴンミラー１８と蛍光体カラーホイール１９とを同一周期で且つその回転位相が一致するように、投影光処理部２４がモータ２５及びモータ２７を制御する。図２は、ポリゴンミラー１８と蛍光体カラーホイール１９共に、図面で見える側の周端部が矢印Ｒ１，Ｒ２に沿って移動するように回転する場合を示している。
【００４０】
投影光処理部２４は、マーカセンサ２６、マーカセンサ２８の出力に応じてポリゴンミラー１８、蛍光体カラーホイール１９の各回転速度、位相を制御する。
【００４１】
図３は、蛍光体カラーホイール１９の具体的な構成を例示する。図３（Ａ）が円盤状の蛍光体カラーホイール１９の平面図、図３（Ｂ）が側面図である。同図に示す如く蛍光体カラーホイール１９は、円盤状の透明基板１９ａの一面に同径のダイクロイックフィルタ１９ｂが貼着して一体に形成されると共に、他方の面側に該透明基板１９ａより若干小径の蛍光板１９ｃが同じく貼着される。
【００４２】
この蛍光板１９ｃは、図示する如く、その周端側に周状に７２枚の略矩形の蛍光カラーフィルタ１９ｃＲ，１９ｃＧ，１９ｃＢ，…を規則配列する。これら蛍光カラーフィルタ１９ｃＲ，１９ｃＧ，１９ｃＢ，…は、上記ポリゴンミラー１８で反射されたレーザ光の照射により蛍光体が励起されてＲ，Ｇ，Ｂの蛍光を出射するもので、蛍光体カラーホイール１９の回転に伴ってＲ，Ｇ，Ｂの蛍光が時分割でインテグレータ２０へ出射される。
【００４３】
次に、ポリゴンミラー１８の回転に伴う、蛍光体カラーホイール１９の蛍光カラーフィルタ１９ｃＲ，１９ｃＧ，１９ｃＢ，…の走査について説明する。  
図４は、半導体レーザ１７からのレーザ光が、回転するポリゴンミラー１８の周端面で反射され、回転する蛍光体カラーホイール１９の蛍光カラーフィルタ１９ｃＲ，１９ｃＧ，１９ｃＢ，…に照射される状態を説明するために平面的に示す図である。
【００４４】
なお、ポリゴンミラー１８が上述した如く７２角の薄い角柱形状であった場合、周端面の１つの平面ミラーに対する中心角φは５°となる。しかしながら、本図では視覚的に理解し易いように、あえて中心角φを２０°の１８角ポリゴンミラーとして作図している。
【００４５】
ポリゴンミラー１８が点Ｏを中心として矢印Ｒ１の方向に回転し、同時に蛍光体カラーホイール１９も矢印Ｒ２の方向に回転するものとする。半導体レーザ１７からのスポットビームＢがポリゴンミラー１８の周端面上の点位置Ｐ０で反射し、蛍光体カラーホイール１９側を照射する。
【００４６】
ポリゴンミラー１８の１つの平面ミラーが図中の位置Ｐ１１に至った時点で、当該ミラーでの反射が開始される。その時点での反射光Ｓに同期して、蛍光体カラーホイール１９の蛍光カラーフィルタ１９ｃＲ，１９ｃＧ，１９ｃＢ，…のうちの１つが図中の位置Ｐ２１となり、当該カラーフィルタへのスポットビームＢの照射が開始される。
【００４７】
以後、半導体レーザ１７からのスポットビームＢに対してポリゴンミラー１８と蛍光体カラーホイール１９はこの図の平面上で略同一方向に移動するため、ポリゴンミラー１８での反射光は蛍光体カラーホイール１９の同一のカラーフィルタを走査することになる。
【００４８】
そして、ポリゴンミラー１８の１つの平面ミラーが図中の位置Ｐ１２に至った時点で、当該ミラーでの反射が終了される。その時点での反射光Ｅに同期して、蛍光体カラーホイール１９の対応するカラーフィルタが図中の位置Ｐ２２となり、当該カラーフィルタへのスポットビームＢの照射も終了される。
【００４９】
蛍光体カラーホイール１９を構成する１つのカラーフィルタの回転方向に沿った幅がＷであった場合、当該カラーフィルタは移動ストロークＤに渡ってその幅Ｗ分だけ走査される。
【００５０】
そのため、１つのカラーフィルタに着目して考えると、例えば「Ｄ＝２Ｗ」とすれば、１つのカラーフィルタが矢印Ｒ２の方向に沿った移動時の速度をＶとした場合、幅ＷをＶ／２の速度で幅Ｗに渡って走査することになる。
【００５１】
このように、ポリゴンミラー１８と蛍光体カラーホイール１９の回転速度及び両位相を正確にモータ２５が制御することにより、ポリゴンミラー１８で反射されたスポットビームＢが蛍光体カラーホイール１９のカラーフィルタをその回転速度に比して低い速度でゆっくりと走査することになる。
【００５２】
実際には、ポリゴンミラー１８と蛍光体カラーホイール１９とが上記図２で示した如く同一の中心軸ではなく各回転軸が所定の角度を持っていること、及び、ポリゴンミラー１８の底面は正確には円形ではなく多角形であり、１つの平面ミラーの中央部と端部とでは中心点までの径が異なることから、平面ミラーの反射光により蛍光体カラーホイール１９のカラーフィルタを走査する際、その軌跡は、略矩形状のカラーフィルタを若干円弧を描いて横切るものとなる。
【００５３】
上記に比して、半導体レーザ１７からのスポットビームＢが、ポリゴンミラー１８の１つの平面ミラーでの反射を終えて次の平面ミラーで反射する切替時においては、きわめて微小な時間内に反射光が上記Ｅの方向からＳの方向まで走査することとなる。
【００５４】
したがって、カラーブレーキング現象と称される色割れ現象の発生を抑制する効果を充分に高めることができる。
【００５５】
ポリゴンミラー１８及び蛍光体カラーホイール１９を、例えば７２００ｒｐｍでその位相も含めて同期して回転させる場合、蛍光体カラーホイール１９が出射する時分割蛍光光の繰返し周波数は、  
(7200[rpm]／60[sec])×(72[セク゛メント]／3[色])  
＝2880[Hz]  
＝60[Hz]×48[倍速]  
となり、４８倍速の単板式ＤＬＰプロジェクタを実現できる。この倍速数は、マイクロミラー素子を製作するメーカが、カラーブレーキング現象を実用上ほぼ完全に抑制できると報告している倍速数に等しい。
【００５６】
以上詳述した如く本実施形態によれば、実用上充分な明るさを有する光源と、該光源からの光を用いて時分割で複数の原色光を得るためのカラーホイールとを用いながら、カラーブレーキング現象の発生を充分に抑止することが可能となる。
【００５７】
また、上記実施形態では、半導体レーザ１７からのスポットビームＢに対してポリゴンミラー１８の回転方向とその反射光が照射される蛍光体カラーホイール１９の回転方向とが一致するものとした。これにより、蛍光体カラーホイール１９の１つのカラーフィルタに対する走査速度を相対的に低下させ、それに比して１つのカラーフィルタから次のカラーフィルタへの切換え時の走査速度を上げるものとしたので、カラーブレーキング現象の発生をより確実に抑止できる。
【００５８】
さらに上記実施形態では、半導体レーザ１７からのスポットビームＢを反射すると同時に走査して蛍光体カラーホイール１９のカラーフィルタへ照射する走査体としてポリゴンミラー１８を用いるものとした。これにより、簡易な構造での高速化が可能であり、装置の製造コストを低く抑えながら、カラーブレーキング現象の発生を確実に抑止できる。
【００５９】
また上記実施形態では、ポリゴンミラー１８の平面ミラーの数と蛍光体カラーホイール１９のカラーミラーの数とが同一であり、且つその回転速度も同一であるものとした。これにより、ポリゴンミラー１８と蛍光体カラーホイール１９に対する同期制御が容易となり、投影光処理部２４の負担を軽減できる。
【００６０】
なお上記実施形態では、ポリゴンミラー１８の周面を７２枚の平面ミラーから成る７２角ポリゴンミラーで構成し、蛍光体カラーホイール１９も、底面周端部と同様に７２枚の蛍光カラーフィルタを周状に規則的に分割配置する構成としたが、ポリゴンミラー１８の平面ミラーの数と蛍光体カラーホイール１９のカラーミラーの数とが同一であれば、これに限らない。
【００６１】
また、ポリゴンミラー１８と蛍光体カラーホイール１９を、７２００ｒｐｍで同期して回転させるとしたが、ポリゴンミラー１８の回転数と蛍光体カラーホイール１９の回転数が同一であれば、異なる回転数で構わない。
【００６２】
そして、上記実施形態では、半導体レーザ１７の例を用いて説明したが、ファイバーレーザを用いても良い。
【００６３】
さらに上記実施形態では、蛍光体カラーホイール１９に対する半導体レーザ１７からのスポットビームＢの反射と走査とを行なう走査体をポリゴンミラー１８で構成する場合について説明したが、本発明はポリゴンミラー１８に限らず、他にも例えばガルバノスキャナとも称されるガルバノミラーを用いるものとしても良いし、ＡＯＤ（Ａｃｏｕｓｔｏ−Ｏｐｔｉｃ  Ｄｅｆｌｅｃｔｏｒ：音響光学偏向素子）での偏向走査を光軸を屈曲するという広義での反射動作と捉えれば、ＡＯＤを用いても同様に適用可能となる。
【００６４】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００６５】
１０…データプロジェクタ装置、１１…入出力コネクタ部、１２…入出力インタフェース（Ｉ／Ｆ）、１３…画像変換部（スケーラ）、１４…ビデオＲＡＭ、１５…投影画像処理部、１６…マイクロミラー素子（ＳＬＭ）、１７…半導体レーザ、１８…ポリゴンミラー、１９…蛍光体カラーホイール、１９ａ…透明基板、１９ｂ…ダイクロイックフィルタ、１９ｃ…蛍光板、１９ｃＲ，１９ｃＧ，１９ｃＢ…蛍光カラーフィルタ、２０…インテグレータ、２１…光源レンズ系、２２…ミラー、２３…投影レンズユニット、２４…投影光処理部、２５…モータ（Ｍ）、２６…マーカセンサ、２７…モータ（Ｍ）、２８…マーカセンサ、２９…ＣＰＵ、３０…メインメモリ、３１…プログラムメモリ、３２…操作部、３３…音声処理部、３４…スピーカ部、ＳＢ…システムバス。
【図１】
2010224493.tif 000003
【図２】
2010224493.tif 000004
【図３】
2010224493.tif 000005
【図４】
2010224493.tif 000006